(57)【要約】【課題】エネルギー消費に関する項目についての消費割合に関する情報を自動的に知らせる機能、及び、上記の消費割合に基づいて自動的に運転状態を変更する機能を備えた空気調和機を提供する。【解決手段】所定期間内における電気料金の目標値を設定しておくと、その所定期間内における電気料金の消費割合が目標値の５０％に到達すると、電気料金の消費割合が自動的に報知される。また、その後、電気料金の消費割合が１０％だけ増加する度に、電気料金の消費割合が自動的に報知されると共に、空気調和機における室内温度の設定温度が変更される。そして、電気料金の消費割合が目標値の１００％に到達すると、電気料金の消費割合が自動的に報知されると共に、空気調和機の運転が停止される。【選択図】図５
2015038384.tif 000002
【特許請求の範囲】
【請求項１】
所定期間内におけるエネルギー消費に関する項目についての積算値または平均値の目標値を記憶する記憶手段と、
前記所定期間の開始時から実際に要した前記項目についての積算値または平均値を算出する算出手段と、
前記目標値に対する前記積算値または前記平均値の割合に関する情報を報知する報知手段とを備えていることを特徴とする空気調和機。
【請求項２】
所定期間内における消費電力または電気料金の積算値または平均値の目標値を記憶する記憶手段と、
前記所定期間の開始時から実際に要した消費電力または電気料金の積算値または平均値を算出する算出手段と、
前記目標値に対する前記積算値または前記平均値の割合に関する情報を報知する報知手段とを備えていることを特徴とする空気調和機。
【請求項３】
所定期間内におけるＣＯ２排出量の積算値または平均値の目標値を記憶する記憶手段と、
前記所定期間の開始時から実際に要したエネルギー消費量に基づいて導出されたＣＯ２排出量の積算値または平均値を算出する算出手段と、
前記目標値に対する前記積算値または前記平均値の割合に関する情報を報知する報知手段とを備えていることを特徴とする空気調和機。
【請求項４】
所定期間内における低効率運転が行われる運転時間の積算値または平均値の目標値を記憶する記憶手段と、
前記所定期間の開始時から実際に行われた低効率運転時間の積算値または平均値を算出する算出手段と、
前記目標値に対する前記積算値または前記平均値の割合に関する情報を報知する報知手段とを備えていることを特徴とする空気調和機。
【請求項５】
前記報知手段は、前記目標値に対する前記積算値または前記平均値の割合が所定割合に達した場合に、その旨を報知することを特徴とする請求項１〜４のいずれか１項に記載の空気調和機。
【請求項６】
前記報知手段は、前記目標値に対する前記積算値または前記平均値の割合が所定値だけ変化する度に、その旨を報知することを特徴とする請求項１〜５のいずれか１項に記載の空気調和機。
【請求項７】
室内機と、前記室内機との間で信号の送受信可能なリモコンとを備え、
前記報知手段は、前記室内機及び前記リモコンの少なくとも一方に設けられた表示部への表示により前記目標値に対する前記積算値または前記平均値の割合に関する情報を報知することを特徴とする請求項１〜６のいずれか１項に記載の空気調和機。
【請求項８】
室内機と、前記室内機との間で信号の送受信可能なリモコンとを備え、
前記報知手段は、前記室内機及び前記リモコンの少なくとも一方に設けられたスピーカからの音声により前記目標値に対する前記積算値または前記平均値の割合に関する情報を報知することを特徴とする請求項１〜６のいずれか１項に記載の空気調和機。
【請求項９】
所定期間内におけるエネルギー消費に関する項目についての積算値または平均値の目標値を記憶する記憶手段と、
前記所定期間の開始時から実際に要した前記項目についての積算値または平均値を算出する算出手段と、
前記目標値に対する前記積算値または前記平均値の割合に基づいて運転状態を変更する制御手段とを備えていることを特徴とする空気調和機。
【請求項１０】
所定期間内における消費電力または電気料金の積算値または平均値の目標値を記憶する記憶手段と、
前記所定期間の開始時から実際に要した消費電力または電気料金の積算値または平均値を算出する算出手段と、
前記目標値に対する前記積算値または前記平均値の割合に基づいて運転状態を変更する制御手段とを備えていることを特徴とする空気調和機。
【請求項１１】
所定期間内におけるＣＯ２排出量の積算値または平均値の目標値を記憶する記憶手段と、
前記所定期間の開始時から実際に要したエネルギー消費量に基づいて導出されたＣＯ２排出量の積算値または平均値を算出する算出手段と、
前記目標値に対する前記積算値または前記平均値の割合に基づいて運転状態を変更する制御手段とを備えていることを特徴とする空気調和機。
【請求項１２】
所定期間内における低効率時間の積算値または平均値の目標値を記憶する記憶手段と、
前記所定期間の開始時から実際に行われた低効率運転時間の積算値または平均値を算出する算出手段と、
前記目標値に対する前記積算値または前記平均値の割合に基づいて運転状態を変更する制御手段とを備えていることを特徴とする空気調和機。
【請求項１３】
前記制御手段は、前記目標値に対する前記積算値または前記平均値の割合が所定割合に達した場合に、運転状態を変更することを特徴とする請求項９〜１２のいずれか１項に記載の空気調和機。
【請求項１４】
前記制御手段は、前記目標値に対する前記積算値または前記平均値の割合が所定値だけ変化する度に、運転状態を変更することを特徴とする請求項９〜１３のいずれか１項に記載の空気調和機。
【請求項１５】
前記制御手段は、室内温度の設定温度を上昇または低下させることにより運転状態を変更することを特徴とする請求項９〜１４のいずれか１項に記載の空気調和機。
【請求項１６】
複数のモードのうちのいずれかのモードを設定可能であって、
前記制御手段は、モード毎に互いに異なる温度ずつ室内温度の設定温度を上昇または低下させることを特徴とする請求項１５に記載の空気調和機。
【請求項１７】
前記制御手段は、運転を停止することを特徴とする請求項１３に記載の空気調和機。
【発明の詳細な説明】
【技術分野】
【０００１】
本発明は、エネルギー消費に関する項目である電気料金等の消費割合を知らせる機能を備えた空気調和機に関するものである。
【背景技術】
【０００２】
室内機と室外機とを備えた空気調和機には、運転時の消費電力に基づいて消費した電気料金を算出し、その電気料金をユーザに知らせる機能を備えたものがある。このような空気調和機では、例えば運転停止後から所定時間が経過するまでにリモコンの「お知らせスイッチ」が押された場合に、空気調和機で消費した電気料金が室内機の表示部に表示される（例えば、特許文献１参照）。従って、ユーザは、リモコンの「お知らせスイッチ」を押すことで、空気調和機で消費した電気料金を確認することができる。
【特許文献１】特開２００１−７４２９９号公報
【発明の開示】
【発明が解決しようとする課題】
【０００３】
しかしながら、上記の空気調和機では、ユーザがリモコンの「お知らせスイッチ」を押さない限り、空気調和機で消費した電気料金は表示されない。そのため、ユーザが所定期間内における電気料金の目標値をあらかじめ設定していた場合でも、ユーザがリモコンの「お知らせスイッチ」を押す操作を行わなければ、ユーザが気付かないうちに、空気調和機で消費した電気料金が目標値を大幅に上回ることがある。
【０００４】
ところで、現在もっとも課題とされている地球温暖化は、ＣＯ２排出量の増大が主な原因と考えられる。従って、ユーザは、環境への配慮の取り組みとして、ＣＯ２排出量の削減に取り組むことが重要である。しかしながら、どれくらいの消費電力を減少させることで、どれくらいのＣＯ２排出量が削減されるのかをユーザが認識するのは困難である。また、空気調和機での消費電力を減少させるためには、外気温度などに応じた最も効率のよい運転（省エネ運転）を行うのが望ましいが、室内温度の設定温度や室内機の風量設定などによっては、上記の省エネ運転よりも効率の低い運転となってしまう。そして、空気調和機の運転が効率の低い運転である場合には、消費電力が多くなる。
【０００５】
そこで、本発明の主な目的は、エネルギー消費に関する項目についての消費割合に関する情報を自動的に知らせる機能を備えた空気調和機を提供することである。
【０００６】
また、本発明の他の目的は、エネルギー消費に関する項目についての消費割合に基づいて運転状態を自動的に変更する機能を備えた空気調和機を提供することである。
【課題を解決するための手段】
【０００７】
第１の発明に係る空気調和機は、所定期間内におけるエネルギー消費に関する項目についての積算値または平均値の目標値を記憶する記憶手段と、前記所定期間の開始時から実際に要した前記項目についての積算値または平均値を算出する算出手段と、前記目標値に対する前記積算値または前記平均値の割合に関する情報を報知する報知手段とを備えていることを特徴としている。
【０００８】
第２の発明に係る空気調和機は、所定期間内における消費電力または電気料金の積算値または平均値の目標値を記憶する記憶手段と、前記所定期間の開始時から実際に要した消費電力または電気料金の積算値または平均値を算出する算出手段と、前記目標値に対する前記積算値または前記平均値の割合に関する情報を報知する報知手段とを備えていることを特徴としている。
【０００９】
第３の発明に係る空気調和機は、所定期間内におけるＣＯ２排出量の積算値または平均値の目標値を記憶する記憶手段と、前記所定期間の開始時から実際に要したエネルギー消費量に基づいて導出されたＣＯ２排出量の積算値または平均値を算出する算出手段と、  前記目標値に対する前記積算値または前記平均値の割合に関する情報を報知する報知手段とを備えていることを特徴としている。
【００１０】
第４の発明に係る空気調和機は、所定期間内における低効率運転が行われる運転時間の積算値または平均値の目標値を記憶する記憶手段と、前記所定期間の開始時から実際に行われた低効率運転時間の積算値または平均値を算出する算出手段と、前記目標値に対する前記積算値または前記平均値の割合に関する情報を報知する報知手段とを備えていることを特徴としている。
【００１１】
これらの空気調和機では、所定期間内におけるエネルギー消費に関する項目（例えば、消費電力、電気料金、ＣＯ２排出量、低効率運転が行われる運転時間など）についての積算値または平均値の目標値を設定しておくと、その所定期間内において実際に要した上記項目についての積算値または平均値の目標値に対する割合（上記項目についての消費割合）に関する情報が自動的に報知される。そのため、ユーザは、リモコンのスイッチを押す等の操作を行うことなく、上記項目についての消費割合を知ることができる。従って、ユーザは、上記項目についての消費割合の変化を把握することで、上記項目についての積算値または平均値が目標値を上回るのを抑制するために、空気調和機の使用を調整することが可能になる。また、上記項目についての消費割合に関する情報が自動的に報知されることにより省エネの意識が啓発されると共に、ユーザは、上記項目についての積算値または平均値を目標値以内におさめることで節約の達成感及び満足感を得ることができる。
【００１２】
第５の発明に係る空気調和機は、第１〜４の発明のいずれかに係る空気調和機であって、前記報知手段は、前記積算値または前記平均値の前記目標値に対する割合が所定割合に達した場合に、前記情報を報知することを特徴としている。
【００１３】
この空気調和機では、ユーザは、上記項目についての消費割合に関する情報が報知されるタイミングを適宜変更することができる。
【００１４】
第６の発明に係る空気調和機は、第１〜５の発明のいずれかに係る空気調和機であって、前記報知手段は、前記積算値または前記平均値の前記目標値に対する割合が所定値だけ変化する度に、前記情報を報知することを特徴としている。
【００１５】
この空気調和機では、ユーザは、上記項目についての消費割合の変化を確実に把握することができる。
【００１６】
第７の発明に係る空気調和機は、第１〜６の発明のいずれかに係る空気調和機であって、室内機と、前記室内機との間で信号の送受信可能なリモコンとを備え、前記報知手段は、前記室内機及び前記リモコンの少なくとも一方に設けられた表示部への表示により前記情報を報知することを特徴としている。
【００１７】
この空気調和機では、上記項目についての消費割合に関する情報が表示部への表示により報知されるので、ユーザは上記項目についての消費割合を容易に確認することができる。
【００１８】
第８の発明に係る空気調和機は、第１〜６の発明のいずれかに係る空気調和機であって、室内機と、前記室内機との間で信号の送受信可能なリモコンとを備え、前記報知手段は、前記室内機及び前記リモコンの少なくとも一方に設けられたスピーカからの音声により前記情報を報知することを特徴としている。
【００１９】
この空気調和機では、上記項目についての消費割合に関する情報がスピーカからの音声により報知されるので、ユーザは上記項目についての消費割合を確実に確認することができる。
【００２０】
第９の発明に係る空気調和機は、所定期間内におけるエネルギー消費に関する項目についての積算値または平均値の目標値を記憶する記憶手段と、前記所定期間の開始時から実際に要した前記項目についての積算値または平均値を算出する算出手段と、前記目標値に対する前記積算値または前記平均値の割合に基づいて運転状態を変更する制御手段とを備えていることを特徴としている。
【００２１】
第１０の発明に係る空気調和機は、所定期間内における消費電力または電気料金の積算値または平均値の目標値を記憶する記憶手段と、前記所定期間の開始時から実際に要した消費電力または電気料金の積算値または平均値を算出する算出手段と、前記目標値に対する前記積算値または前記平均値の割合に基づいて運転状態を変更する制御手段とを備えていることを特徴としている。
【００２２】
第１１の発明に係る空気調和機は、所定期間内におけるＣＯ２排出量の積算値または平均値の目標値を記憶する記憶手段と、前記所定期間の開始時から実際に要したエネルギー消費量に基づいて導出されたＣＯ２排出量の積算値または平均値を算出する算出手段と、  前記目標値に対する前記積算値または前記平均値の割合に基づいて運転状態を変更する制御手段とを備えていることを特徴としている。
【００２３】
第１２の発明に係る空気調和機は、所定期間内における低効率時間の積算値または平均値の目標値を記憶する記憶手段と、前記所定期間の開始時から実際に行われた低効率運転時間の積算値または平均値を算出する算出手段と、前記目標値に対する前記積算値または前記平均値の割合に基づいて運転状態を変更する制御手段とを備えていることを特徴としている。
【００２４】
これらの空気調和機では、所定期間内におけるエネルギー消費に関する項目についての積算値または平均値の目標値を設定しておくと、その所定期間内において実際に要した上記項目の積算値または平均値の目標値に対する割合（上記項目の消費割合）に基づいて、空気調和機の運転状態が自動的に変更される。従って、上記項目についての積算値または平均値の目標値を設定しておくだけで、ユーザが気付かないうちに、上記項目についての積算値または平均値が目標値を大幅に上回るのを防止することができる。また、ユーザは、空気調和機の運転状態の変化から、上記項目についての積算値または平均値が目標値に近づいていることを把握することで、空気調和機の使用を調整することが可能になる。
【００２５】
第１３の発明に係る空気調和機は、第９〜１２の発明のいずれかに係る空気調和機であって、前記制御手段は、前記積算値または前記平均値の前記目標値に対する割合が所定割合に達した場合に、運転状態を変更することを特徴としている。
【００２６】
この空気調和機では、ユーザは、空気調和機の運転状態が変更されるタイミングを適宜変更することができる。
【００２７】
第１４の発明に係る空気調和機は、第９〜１３の発明のいずれかに係る空気調和機であって、前記制御手段は、前記積算値または前記平均値の前記目標値に対する割合が所定値だけ変化する度に、運転状態を変更することを特徴としている。
【００２８】
この空気調和機では、上記項目についての積算値または平均値が目標値を大幅に上回るのを確実に防止することができる。
【００２９】
第１５の発明に係る空気調和機は、第９〜１４の発明のいずれかに係る空気調和機であって、前記制御手段は、室内温度の設定温度を上昇または低下させることにより運転状態を変更することを特徴としている。
【００３０】
この空気調和機では、空気調和機の運転状態を容易に変更することができる。
【００３１】
第１６の発明に係る空気調和機は、第１５の発明に係る空気調和機であって、複数のモードのうちのいずれかのモードを設定可能であって、前記制御手段は、モード毎に互いに異なる温度ずつ室内温度の設定温度を上昇または低下させることを特徴としている。
【００３２】
この空気調和機では、複数のモードのそれぞれにおいて互いに異なる温度ずつ設定温度を変更されるので、ユーザは、節約の度合に応じて複数のモードのいずれかを選択することができる。
【００３３】
第１７の発明に係る空気調和機は、第１３の発明に係る空気調和機であって、前記制御手段は、運転を停止することを特徴としている。
【００３４】
この空気調和機では、上記項目についての積算値または平均値が目標値を大幅に上回るのをより確実に防止することができる。
【発明の効果】
【００３５】
以上の説明に述べたように、本発明によれば、以下の効果が得られる。
【００３６】
第１〜８の発明では、所定期間内におけるエネルギー消費に関する項目（例えば、消費電力、電気料金、ＣＯ２排出量、低効率運転が行われる運転時間など）についての積算値または平均値の目標値を設定しておくと、その所定期間内において実際に要した上記項目についての積算値または平均値の目標値に対する割合（上記項目についての消費割合）に関する情報が自動的に報知される。そのため、ユーザは、リモコンのスイッチを押す等の操作を行うことなく、上記項目についての消費割合を知ることができる。従って、ユーザは、上記項目についての消費割合の変化を把握することで、上記項目についての積算値または平均値が目標値を上回るのを抑制するために、空気調和機の使用を調整することが可能になる。また、上記項目についての消費割合に関する情報が自動的に報知されることにより省エネの意識が啓発されると共に、ユーザは、上記項目についての積算値または平均値を目標値以内におさめることで節約の達成感及び満足感を得ることができる。
【００３７】
第９〜１７の発明では、所定期間内におけるエネルギー消費に関する項目についての積算値または平均値の目標値を設定しておくと、その所定期間内において実際に要した上記項目の積算値または平均値の目標値に対する割合（上記項目の消費割合）に基づいて、空気調和機の運転状態が自動的に変更される。従って、上記項目についての積算値または平均値の目標値を設定しておくだけで、ユーザが気付かないうちに、上記項目についての積算値または平均値が目標値を大幅に上回るのを防止することができる。また、ユーザは、空気調和機の運転状態の変化から、上記項目についての積算値または平均値が目標値に近づいていることを把握することで、空気調和機の使用を調整することが可能になる。
【発明を実施するための最良の形態】
【００３８】
以下、本発明に係る空気調和機の実施の形態について、図面を参照しつつ説明する。図１は、本発明の第１の実施の形態に係る空気調和機の斜視図である。図２は、図１の室内機の部分拡大図である。図３は、図１のリモコンを示す図である。
【００３９】
図１の空気調和機１は、室内の壁などに取り付けられる室内機２と、室外に設置される室外機（図示しない）と、ユーザが種々の操作を行うために室内機２との間で信号の送受信可能なリモコン１０とを備えている。そして、室内機２の前面には、実際に消費した電気料金の目標値に対する割合（以下、電気料金の消費割合と記載する）をユーザに知らせるための表示部３及びスピーカ４が設けられている。
【００４０】
表示部３は、図２に示すように、文字が表示される文字表示部３ａと、複数のランプが配置されたランプ部３ｂとを有している。文字表示部３ａは、電気料金の消費割合を文字でユーザに知らせるためのものである。また、ランプ部３ｂは、電気料金の消費割合が５０％、６０％、７０％、８０％、９０％に到達した場合に点灯する複数のランプを有している。図２では、電気料金の消費割合が８０％に到達した場合が図示されている。
【００４１】
スピーカ４は、電気料金の消費割合を音声でユーザに知らせるためのものである。従って、例えば電気料金の消費割合が８０％に到達した場合には、目標値の８０％の電気料金を消費した旨がスピーカ４から報知される。ここで、スピーカ４からのお知らせは、電気料金の消費割合が大きくなるにつれて次第に強い表現になるようにしてもよいし、音量を大きくしてもよい。
【００４２】
リモコン１０は、図３に示すように、表示部１１と、操作部１２とを有している。表示部１１には、ユーザが設定した設定温度を表示する設定温度表示部１１ａと、電気料金の消費割合を表示する電気料金表示部１１ｂとが含まれる。電気料金表示部１１ｂは、節約お知らせモード（節約モード）の設定内容と、電気料金の消費割合とを表示可能である。
【００４３】
また、操作部１２には、節約お知らせボタン１３と、節約設定ボタン１４とが含まれる。節約お知らせボタン１３は、現在までの電気料金の消費割合を確認する場合に用いられる。つまり、ユーザが、節約お知らせボタン１３を押すと、現在までの電気料金の消費割合がリモコン１０の電気料金表示部１１ｂに表示される。
【００４４】
節約設定ボタン１４は、節約お知らせモードを設定する場合に用いられる。本実施の形態では、節約お知らせモードの設定には、「本気節約モード」と、「らくらく節約モード」との２つのモードがあり、節約設定ボタン１４を押すたびに、「本気節約モード」及び「らくらく節約モード」のいずれかに切り換わる。また、節約設定ボタン１４を長押しすることで、節約お知らせモードの設定を解除可能である。
【００４５】
次に、本実施の形態の空気調和機１の制御ユニットの構成について、図４を参照して説明する。図４は、図１の空気調和機の制御ユニットの構成を示すブロック図である。制御ユニット３０は、節約モード記憶部３１と、目標値記憶部３２と、電気料金算出部３３と、制御部３４とを有している。また、制御ユニット３０には、室内機２の文字部３及びスピーカ４と、リモコン１０の表示部１１及び操作部１２とがそれぞれ接続されている。
【００４６】
節約モード記憶部３１は、空気調和機１における節約モードに関する種々の設定を記憶するものである。節約モード記憶部３１に記憶される設定には、ユーザが設定可能な複数の節約モードにおける詳細な設定が含まれる。本実施の形態では、上述したように、節約モードの設定には、「本気節約モード」と、「らくらく節約モード」との２つのモードがあるので、それらのモードにおける詳細な設定が記憶される。
【００４７】
各節約モードにおける詳細な設定には、電気料金の目標値の期間の設定と、電気料金の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機１の運転状態を変更する場合の設定温度の温度幅の設定とが含まれる。
【００４８】
本実施の形態では、電気料金の目標値の期間の設定としては、１年間、１ヶ月間、１週間、１日のいずれかの設定が可能であって、ユーザによって選択された期間が記憶される。従って、空気調和機１では、節約モード記憶部３１に記憶された所定期間において実際に消費した電気料金の積算値が算出され、その積算値の上記の所定期間の目標値に対する消費割合がユーザに知らされる。
【００４９】
また、設定温度の温度幅の設定としては、「本気節約モード」においては第１温度幅（例えば２℃）が設定され、「らくらく節約モード」においては第２温度幅（例えば１℃）が設定されている。このように、設定温度の温度幅はモード毎にそれぞれ設定される。
【００５０】
目標値記憶部３２は、ユーザによって設定された各期間ごとの電気料金の目標値を記憶する。本実施の形態では、ユーザは、空気調和機１の取扱説明書に記載された例えば地域別の目安表等を参考にし、１年間のトータル電気料金の目標値を設定すると、月、週、日ごとの目標値が自動的に計算されるようになっている。そのため、目標値記憶部３２は、１年間、１ヶ月間、１週間、１日ごとの目標値を記憶している。
【００５１】
電気料金算出部３３は、空気調和機１での消費電力に基づいて電気料金の積算値を算出する。そして、ユーザに知らせる電気料金の消費割合は、電気料金算出部３３で算出された電気料金の積算値と、目標値記憶部３２に記憶された各期間の目標値とに基づくものである。
【００５２】
制御部３４は、空気調和機１の各部の動作などを制御するものである。従って、制御部３４は、室内機２の表示部３に表示される内容、スピーカ４から報知される内容、及び、リモコン１０の表示部１１に表示される内容等を制御可能である。
【００５３】
次に、本実施の形態の空気調和機１の動作手順について、図４を参照して説明する。図４は、本実施の形態の空気調和機の動作手順を示すフローチャートである。
【００５４】
まず、ユーザによって電気料金の目標値が設定される（ステップＳ１）。ここでは、１年間のトータル電気料金の目標値が設定されることで、月、週、日ごとの目標値が自動的に算出され、目標値記憶部３２に記憶される。
【００５５】
そして、ユーザによって現在までの電気料金の消費割合を確認するか否か（節約お知らせボタン１４が押されたか否か）を判断する（ステップＳ２）。ここで、ユーザが現在までの電気料金の消費割合を確認する場合（Ｓ２：ＹＥＳ）には、現在までの電気料金の消費割合がユーザに知らされる（ステップＳ３）。このとき、節約お知らせボタン１４が押される度に、今日、今日までの１週間、今日までの１ヶ月間、今日までの１年間の目標値に対する電気料金の消費割合がユーザに知らされる。また、本実施の形態において電気料金の消費割合がユーザに知らされる場合には、室内機２の表示部３での表示、スピーカ４からの報知及びリモコン１０の表示部１１への表示の全てが行われ、以下の説明においても同様である。
【００５６】
次に、ユーザによって節約モードの設定が行われる（ステップＳ４）。つまり、ユーザは、「本気節約モード」及び「らくらく節約モード」のいずれかを選択すると共に、電気料金の目標値の期間を１年間、１ヶ月間、１週間、１日のいずれかを選択する。従って、ユーザに知らせる電気料金の消費割合は、ユーザによって選択された電気料金の目標値の期間に基づくものである。
【００５７】
そして、「本気節約モード」が設定されたか否かが判断される（ステップＳ５）。ここで、「本気節約モード」が設定された場合（Ｓ５：ＹＥＳ）には、電気料金の消費割合が目標値の５０％に到達したか否かが繰り返し判断される（ステップＳ６）。そして、電気料金の消費割合が目標値の５０％に到達した場合（Ｓ６：ＹＥＳ）には、電気料金の消費割合がユーザに知らされる（ステップＳ７）。
【００５８】
その後、定数Ｎが０に設定され（ステップＳ８）、電気料金の消費割合が目標値の６０＋Ｎ％に到達したか否かが繰り返し判断される（ステップＳ９）。ここでは、定数Ｎは０に設定されているので、電気料金の消費割合が目標値の６０％に到達したか否かが繰り返し判断される。そして、電気料金の消費割合が目標値の６０％に到達した場合（Ｓ９：ＹＥＳ）には、電気料金の消費割合がユーザに知らされる（ステップＳ１０）。
【００５９】
このとき、空気調和機１における室内温度の設定温度が第１温度幅だけ変更される（ステップＳ１１）。ここで、空気調和機１が冷房運転中である場合は設定温度が第１温度幅だけ上昇するように変更され、暖房運転中である場合は設定温度が第１温度幅だけ低下するように変更される。その後、電気料金の消費割合が目標値の１００％に到達したか否かが判断される（ステップＳ１２）。ここで、電気料金の消費割合が目標値の１００％に到達した場合（Ｓ１２：ＹＥＳ）には、電気料金の消費割合がユーザに知らされる（ステップＳ１４）。その後、「本気節約モード」においては、空気調和機１の運転が停止される（ステップＳ１５）。
【００６０】
一方、目標値の１００％に到達していない場合（Ｓ１２：ＮＯ）には、定数ＮがＮ＋１０に変更され（ステップＳ１３）、ステップＳ９に戻って同様の処理が繰り返される。つまり、定数Ｎは１０ごとに変更されるので、次は、電気料金の消費割合が目標値の７０％に到達したか否かが繰り返し判断され、その後、目標値の８０％、９０％に到達したか否かが順に判断されることになる。
【００６１】
ところで、「らくらく節約モード」が設定された場合つまり「本気節約モード」が設定されなかった場合（Ｓ５：ＮＯ）にも同様に、電気料金の消費割合が目標値の５０％に到達したか否かが繰り返し判断される（ステップＳ１６）。そして、電気料金の消費割合が目標値の５０％に到達した場合（Ｓ１６：ＹＥＳ）には、その旨がユーザに知らされる（ステップＳ１７）。
【００６２】
その後、定数Ｎが０に設定され（ステップＳ１８）、電気料金の消費割合が目標値の６０＋Ｎ％に到達したか否かが繰り返し判断される（ステップＳ１９）。ここでは、定数Ｎは０に設定されているので、電気料金の消費割合が目標値の６０％に到達したか否かが繰り返し判断される。そして、電気料金の消費割合が目標値の６０％に到達した場合（Ｓ１９：ＹＥＳ）には、その旨がユーザに知らされる（ステップＳ２０）。
【００６３】
また、このとき、空気調和機１における室内温度の設定温度が第２温度幅だけ変更される（ステップＳ２１）。ここで、空気調和機１が冷房運転中である場合は設定温度が第２温度幅だけ上昇するように変更され、暖房運転中である場合は設定温度が第２温度幅だけ低下するように変更される。その後、電気料金の消費割合が目標値の１００％に到達したか否かが判断される（ステップＳ２２）。
【００６４】
ここで、電気料金の消費割合が目標値の１００％に到達した場合（Ｓ２２：ＹＥＳ）には、電気料金の消費割合がユーザに知らされる（ステップＳ２４）。また、このとき、空気調和機１における室内温度の設定温度が第２温度幅だけ変更される（ステップＳ２５）。その後、電気料金の消費割合のお知らせと設定温度の変更とが交互に繰り返される。
【００６５】
一方、目標値の１００％に到達していない場合（Ｓ２２：ＮＯ）には、定数ＮがＮ＋１０に変更され（ステップＳ２３）、ステップＳ１９に戻って同様の処理が繰り返される。つまり、定数Ｎは１０ごとに変更されるので、次は、目標値の７０％に到達したか否かが繰り返し判断され、その後、目標値の８０％、９０％に到達したか否かが順に判断されることになる。
【００６６】
本実施の形態では、例えば１日の目標値に対する電気料金の消費割合がユーザに知らされる場合において、ある１日における電気料金の積算値が１日の目標値よりも小さいときには、そのときの電気料金の積算値と目標値との差が次の日に繰り越されてもよい。つまり、この場合には、前日の電気料金の積算値と目標値との差が次の日の目標値に加算されるので、次の日においては、前日の電気料金の積算値と目標値との差が加算された目標値に対する消費割合がユーザに知らされることになる。
【００６７】
以上説明したように、本実施の形態の空気調和機１では、所定期間内における電気料金の目標値を設定しておくと、その所定期間内における電気料金の消費割合に関する情報が自動的に報知される。そのため、ユーザは、リモコンのスイッチを押す等の操作を行うことなく、電気料金の消費割合を知ることができる。従って、ユーザは、現在までに消費した電気料金の変化を把握することで、電気料金が目標値を上回るのを抑制するために、空気調和機１の使用を調整することが可能になる。また、電気料金の消費割合に関する情報が自動的に報知されることにより省エネの意識が啓発されると共に、ユーザは電気料金を目標値以内におさめることで節約の達成感及び満足感を得ることができる。
【００６８】
また、空気調和機１では、所定期間内における電気料金等の目標値を設定しておくと、その所定期間内における電気料金の消費割合に基づいて、空気調和機１の運転状態が自動的に変更される。従って、電気料金の目標値を設定しておくだけで、ユーザが気付かないうちに、実際に要した電気料金の積算値が目標値を大幅に上回るのを防止することができる。また、ユーザは、空気調和機１の運転状態の変化から電気料金が目標値に近づいていることを把握することで、空気調和機１の使用時間を調整することが可能になる。
【００６９】
次に、本発明の第２の実施の形態について、図面を参照しつつ説明する。図６は、本発明の第２の実施の形態の空気調和機の制御ユニットの構成を示すブロック図である。
【００７０】
本実施の形態の空気調和機が第１の実施の形態の空気調和機１と主に異なる点は、第１の実施の形態では、電気料金の積算値が算出され、その積算値の電気料金の目標値に対する消費割合がユーザに知らされるが、本実施の形態では、エネルギー消費量に基づいてＣＯ２排出量の積算値が導出され、そのＣｏ２排出量の積算値の目標値に対する消費割合がユーザに知らされる点である。本実施の形態の空気調和機の構成において、第１の実施の形態の空気調和機１と同様の構成については、同一の符号を付けて詳細な説明は省略する。
【００７１】
制御ユニット１３０は、節約モード記憶部１３１と、目標値記憶部１３２と、ＣＯ２排出量算出部１３３と、制御部３４とを有している。また、制御ユニット１３０には、室内機２の文字部３及びスピーカ４と、リモコン１０の表示部１１及び操作部１２とがそれぞれ接続されている。
【００７２】
節約モード記憶部１３１は、空気調和機における節約モードに関する種々の設定を記憶するものである。節約モード記憶部１３１に記憶される設定には、「本気節約モード」と、「らくらく節約モード」との２つのモードがあり、各節約モードにおける詳細な設定には、ＣＯ２排出量の目標値の期間の設定と、ＣＯ２排出量の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【００７３】
目標値記憶部１３２は、ユーザによって設定された各期間ごとのＣＯ２排出量の目標値を記憶する。本実施の形態では、ユーザは、目標値記憶部１３２に対し、１年間、１ヶ月間、１週間、１日ごとの目標値を設定することができる。
【００７４】
ＣＯ２排出量算出部１３３は、空気調和機での消費電力に基づいてＣＯ２排出量の積算値を算出する。ここで、ＣＯ２排出量算出部１３３では、次式に基づいて、ＣＯ２排出量の積算値が算出される。
ＣＯ２排出量＝消費電力×ＣＯ２原単位
（但し、ＣＯ２原単位は、0.533 kg・CO2/kwh）
【００７５】
本実施の形態では、ユーザに知らせるＣＯ２排出量の消費割合は、ＣＯ２排出量算出部１３３で算出されたＣＯ２排出量の積算値と、目標値記憶部１３２に記憶された各期間の目標値とに基づくものである。
【００７６】
次に、本実施の形態の空気調和機の動作手順は、電気料金の目標値の代わりにＣＯ２排出量の目標値が設定されることと、電気料金の消費割合の代わりにＣＯ２排出量の消費割合が知らされること以外は、第１の実施の形態の空気調和機１の動作手順と同様である。
【００７７】
以上説明したように、本実施の形態の空気調和機では、所定期間内におけるＣＯ２排出量の目標値を設定しておくと、その所定期間内におけるＣＯ２排出量の消費割合に関する情報が自動的に報知される。そのため、ユーザは、リモコンのスイッチを押す等の操作を行うことなく、ＣＯ２排出量の消費割合を知ることができる。
【００７８】
次に、本発明の第３の実施の形態について、図面を参照しつつ説明する。図７は、本発明の第３の実施の形態の空気調和機の制御ユニットの構成を示すブロック図である。
【００７９】
本実施の形態の空気調和機が第１の実施の形態の空気調和機１と主に異なる点は、第１の実施の形態では、電気料金の積算値が算出され、その積算値の電気料金の目標値に対する消費割合がユーザに知らされるが、本実施の形態では、空気調和機において低効率運転が行われる運転時間が計測され、その低効率運転時間の積算値の目標値に対する消費割合がユーザに知らされる点である。本実施の形態の空気調和機の構成において、第１の実施の形態の空気調和機１と同様の構成については、同一の符号を付けて詳細な説明は省略する。
【００８０】
制御ユニット２３０は、節約モード記憶部２３１と、目標値記憶部２３２と、低効率運転時間算出部２３３と、制御部３４とを有している。また、制御ユニット２３０には、室内機２の文字部３及びスピーカ４と、リモコン１０の表示部１１及び操作部１２とがそれぞれ接続されている。
【００８１】
節約モード記憶部２３１は、空気調和機における節約モードに関する種々の設定を記憶するものである。節約モード記憶部２３１に記憶される設定には、「本気節約モード」と、「らくらく節約モード」との２つのモードがあり、各節約モードにおける詳細な設定には、低効率運転時間の目標値の期間の設定と、低効率運転時間の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【００８２】
目標値記憶部２３２は、ユーザによって設定された各期間ごとの低効率運転時間の目標値を記憶する。本実施の形態では、ユーザは、目標値記憶部２３２に対し、１年間、１ヶ月間、１週間、１日ごとの目標値を設定することができる。
【００８３】
低効率運転時間算出部２３３は、空気調和機において低効率運転が行われる時間を計測（算出）する。そして、ユーザに知らせる低効率運転時間の消費割合は、低効率運転時間計測部２３３で算出された低効率運転時間の積算値と、目標値記憶部２３２に記憶された各期間の目標値とに基づくものである。ここで、低効率運転とは、外気温度などに応じた最も効率のよい運転（省エネ運転）より効率が低い状態での運転であって、例えば運転周波数が高い、風量設定が低い状態等での運転などが設定される。
【００８４】
ここで、本実施の形態において、低効率運転時間計測部２３３において計測が行われる手順について、図８を参照して説明する。図８は、低効率運転時間計測部において計測が行われる手順を示すフローチャートである。
【００８５】
まず、空気調和機の圧縮機の運転周波数が所定の運転周波数以上（例えば６０Ｈｚ以上）か否かが判断される（ステップＳ１０１）。ここで、圧縮機の運転周波数が所定の運転周波数以上である場合（Ｓ１０１：ＹＥＳ）には、冷房運転が行われているか否かが判断される（ステップＳ１０２）。ここで、冷房運転が行われている場合（Ｓ１０２：ＹＥＳ）には、外気温度が第１の所定温度以上（例えば３５℃以上）であり且つ室内温度が第２の所定温度以下（例えば２７℃以下）であるか否かが判断される（ステップＳ１０３）。ここで、外気温度が第１の所定温度以上であり且つ室内温度が第２の所定温度以下である場合（Ｓ１０３：ＹＥＳ）には、室内機の風量が所定量以下（例えばＬタップ以下）か）か否かが判断される（ステップＳ１０４）。ここで、室内機の風量が所定量以下である場合（Ｓ１０４：ＹＥＳ）には、空気調和機の運転状態が低効率運転であると判断され、低効率運転時間の計測が行われる（ステップＳ１０５）。
【００８６】
また、ステップＳ１０４において、冷房運転時の室内機の風量が所定量以下でない場合（Ｓ１０４：ＮＯ）には、室内機のフラップのスイング動作が行われていないか否かが判断される（ステップＳ１０７）。ここで、室内機のフラップのスイング動作が行われていない場合（Ｓ１０７：ＹＥＳ）には、空気調和機の運転状態が低効率運転であると判断され、低効率運転時間の計測が行われる（ステップＳ１０５）。
【００８７】
一方、ステップＳ１０２において、冷房運転が行われていない場合つまり暖房運転が行われている（Ｓ１０２：ＮＯ）には、外気温度が第３の所定温度以下（例えば７℃以下）であり且つ室内温度が第４の所定温度以上（例えば２５℃以上）であるか否かが判断される（ステップＳ１０６）。ここで、外気温度が第３の所定温度以下であり且つ室内温度が第４の所定温度以上である場合（Ｓ１０６：ＹＥＳ）には、室内機の風量が所定量以下（例えばＬタップ以下）か否かが判断される（ステップＳ１０４）。ここで、室内機の風量が所定量以下である場合（Ｓ１０４：ＹＥＳ）には、空気調和機の運転状態が低効率運転であると判断され、低効率運転時間の計測が行われる（ステップＳ１０５）。
【００８８】
また、ステップＳ１０４において、暖房運転時の室内機の風量が所定量以下でない場合（Ｓ１０４：ＮＯ）には、室内機のフラップのスイング動作が行われていないか否かが判断される（ステップＳ１０７）。ここで、室内機のフラップのスイング動作が行われていない場合（Ｓ１０７：ＹＥＳ）には、空気調和機の運転状態が低効率運転であると判断され、低効率運転時間の計測が行われる（ステップＳ１０５）。
【００８９】
ところで、ステップＳ１０３において、外気温度が第１の所定温度以上であり且つ室内温度が第２の所定温度以下でない場合（Ｓ１０３：ＮＯ）や、ステップＳ１０６において、外気温度が第３の所定温度以下であり且つ室内温度が第４の所定温度以上でない場合（Ｓ１０６：ＮＯ）や、ステップＳ１０７において、室内機のフラップのスイング動作が行われている場合（Ｓ１０７：ＮＯ）には、空気調和機の運転状態が低効率運転でないと判断され、低効率運転時間の計測が終了する（ステップＳ１０８）。
【００９０】
上記のステップＳ１０５及びステップＳ１０８の後は、ステップＳ１０１に戻って、上記と同様の手順が繰り返される。
【００９１】
次に、本実施の形態の空気調和機の動作手順は、電気料金の目標値の代わりに低効率運転時間の目標値が設定されることと、電気料金の消費割合の代わりに低効率運転時間の消費割合が知らされること以外は、第１の実施の形態の空気調和機１の動作手順と同様である。
【００９２】
以上説明したように、本実施の形態の空気調和機では、所定期間内における低効率運転時間の目標値を設定しておくと、その所定期間内における低効率運転時間の消費割合に関する情報が自動的に報知される。そのため、ユーザは、リモコンのスイッチを押す等の操作を行うことなく、低効率運転時間の消費割合を知ることができる。
【００９３】
次に、本発明の第４の実施の形態について、図面を参照しつつ説明する。図９は、本発明の第４の実施の形態の空気調和機の制御ユニットの構成を示すブロック図である。
【００９４】
本実施の形態の空気調和機が第１の実施の形態の空気調和機１と主に異なる点は、第１の実施の形態では、電気料金の積算値が算出され、その電気料金の積算値の目標値に対する消費割合がユーザに知らされるが、本実施の形態では、電気料金の平均値が算出され、その電気料金の平均値の目標値に対する消費割合がユーザに知らされる点である。本実施の形態の空気調和機の構成において、第１の実施の形態の空気調和機１と同様の構成については、同一の符号を付けて詳細な説明は省略する。
【００９５】
制御ユニット３３０は、節約モード記憶部３３１と、目標値記憶部３３２と、平均値算出部３３３と、制御部３４とを有している。また、制御ユニット３３０には、室内機２の文字部３及びスピーカ４と、リモコン１０の表示部１１及び操作部１２とがそれぞれ接続されている。
【００９６】
節約モード記憶部３３１は、空気調和機における節約モードに関する種々の設定を記憶するものである。節約モード記憶部３３１に記憶される設定には、「本気節約モード」と、「らくらく節約モード」との２つのモードがあり、各節約モードにおける詳細な設定には、平均値の目標値の期間の設定と、平均値の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【００９７】
目標値記憶部３３２は、ユーザによって設定された各期間ごとの電気料金の目標値を記憶する。本実施の形態では、ユーザは、目標値記憶部３３２に対し、１年間、１ヶ月間、１週間、１日ごとの平均値の目標値を設定することができる。
【００９８】
平均値算出部３３３は、空気調和機での消費電力に基づいて電気料金の積算開始時からの電気料金の平均値を算出する。そして、ユーザに知らせる電気料金の平均値の消費割合は、平均値算出部３３３で算出された電気料金の平均値と、目標値記憶部３３２に記憶された各期間の電気料金の平均値の目標値とに基づくものである。
【００９９】
本実施の形態では、目標値記憶部３３２には、１ヶ月間ごとの平均値の目標値が設定されている。つまり、１ヶ月間の電気料金の目標値が１ヶ月間に対応した時間で除算されることによって算出された１時間あたりの電気料金の平均値が記憶されている。
【数１】
2015038384.tif 000003
また、平均値算出部３３３では、次式に基づいて、１時間ごとに、積算開始時からの電気料金の平均値が算出される。
【数２】
2015038384.tif 000004
そして、平均値（目標値）に対する平均値（積算値）の割合が、電気料金の平均値の消費割合となる。
【０１００】
なお、所定のマスキング時間（例えば１２時間）が設定されており、積算開始時からマスキング時間が経過するまでは、平均値算出部３３３では、平均値の算出は行われない。つまり、積算開始時からの電気料金の積算値が比較的小さい場合には、平均値算出部３３３で算出される平均値が大きくふれることが多いからである。従って、積算開始時からマスキング時間が経過して、積算開始時からの電気料金の積算値が比較的大きくなった後で、平均値の算出が開始されることで、平均値算出部３３３で算出される平均値が大きくふれるのが防止される。
【０１０１】
次に、本実施の形態の空気調和機の動作手順は、電気料金の積算値の目標値の代わりに電気料金の平均値の目標値が設定されることと、電気料金の積算値の消費割合の代わりに電気料金の平均値の消費割合が知らされること以外は、第１の実施の形態の空気調和機１の動作手順と同様である。
【０１０２】
以上説明したように、本実施の形態の空気調和機では、所定期間内における電気料金の平均値の目標値を設定しておくと、その所定期間内における電気料金の平均値の消費割合に関する情報が自動的に報知される。そのため、ユーザは、リモコンのスイッチを押す等の操作を行うことなく、電気料金の平均値の消費割合を知ることができる。
【０１０３】
ここで、本実施の形態では、電気料金の平均値の消費割合が知らされることによって、第１の実施の形態のように電気料金の積算値の消費割合が知らされる場合と比較して、１ヶ月間における電気料金の消費のペースをユーザに対して早めに知らせることができる。つまり、第１の実施の形態では、目標設定の期間によっては、その期間の後半になるまで電気料金の消費割合が知らされないことが考えられるが、本実施の形態では、ユーザは、１ヶ月間における電気料金の消費のペースを早く認識することで、１ヶ月間の早い段階から電気料金の消費を抑制することができる。
【０１０４】
以上、本発明の実施の形態について図面に基づいて説明したが、具体的な構成は、これらの実施の形態に限られるものではなく、発明の要旨を逸脱しない範囲で変更可能である。
【０１０５】
上述の実施１〜第４の実施の形態では、電気料金の消費割合がユーザに知らされる場合には、室内機２の表示部３での表示、スピーカ４からの報知及びリモコン１０の表示部１１への表示の全てが行われるが、それらのいずれかだけが行われてもよい。
【０１０６】
上述の第１〜第３の実施の形態では、電気料金、ＣＯ２排出量、低効率運転時間のそれぞれの積算値が算出され、その積算値の目標値に対する消費割合がユーザに知らされ、上記の第４の実施の形態では、電気料金の平均値が算出され、その平均値の目標値に対する消費割合がユーザに知らされるが、上記以外のエネルギー消費に関する項目についての積算値または平均値が算出され、その積算値または平均値の目標値に対する消費割合がユーザに知らされてもよい。
【０１０７】
上述の第１〜第４の実施の形態では、空気調和機は、例えば電気料金の消費割合に関する情報を自動的に知らせる機能、及び、例えば電気料金の消費割合に基づいて自動的に運転状態を変更する機能を備えているが、それらの一方の機能だけを備えていてもよい。
【産業上の利用可能性】
【０１０８】
本発明を利用すれば、ユーザは、リモコンのスイッチを押す等の操作を行うことなく、エネルギー消費に関する項目についての消費割合を知ることができる。
【図面の簡単な説明】
【０１０９】
【図１】本発明の第１の実施の形態に係る空気調和機の斜視図である。
【図２】図１の室内機の部分拡大図である。
【図３】図１のリモコンを示す図である。
【図４】図１の空気調和機の制御ユニットの構成を示すブロック図である。
【図５】図１の空気調和機における動作手順を示すフローチャートである。
【図６】本発明の第２の実施の形態に係る空気調和機の制御ユニットの構成を示すブロック図である。
【図７】本発明の第３の実施の形態に係る空気調和機の制御ユニットの構成を示すブロック図である。
【図８】図７の空気調和機の低効率運転時間計測部において計測が行われる手順を示すフローチャートである。
【図９】本発明の第４の実施の形態に係る空気調和機の制御ユニットの構成を示すブロック図である。
【符号の説明】
【０１１０】
１  空気調和機
２  室内機
３  表示部
４  スピーカ
１０  リモコン
３０、１３０、２３０、３３０  制御ユニット
３１  節約モード記憶部
３２  目標値記憶部
３３  電気料金算出部
３４  制御部
１３１  節約モード記憶部
１３２  目標値記憶部
１３３  ＣＯ２排出量算出部
２３１  節約モード記憶部
２３２  目標値記憶部
２３３  低効率運転時間計測部
３３１  節約モード記憶部
３３２  目標値記憶部
３３３  平均値算出部
【図１】
2015038384.tif 000005
【図２】
2015038384.tif 000006
【図３】
2015038384.tif 000007
【図４】
2015038384.tif 000008
【図５】
2015038384.tif 000009
【図６】
2015038384.tif 000010
【図７】
2015038384.tif 000011
【図８】
2015038384.tif 000012
【図９】
2015038384.tif 000013
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
所定期間内における消費電力または電気料金の積算値または平均値の目標値を記憶する記憶手段と、
前記所定期間の開始時から実際に要した消費電力または電気料金の積算値または平均値を算出する算出手段と、
前記目標値に対する前記積算値または前記平均値の割合に関する情報を報知する報知手段とを備え、
前記報知手段は、前記所定期間内において前記目標値に対する前記積算値または前記平均値の割合が、前記積算値または前記平均値が前記目標値未満である状態に対応した所定割合に達した場合にその旨を報知すると共に、その後、前記所定期間内において前記目標値に対する前記積算値または前記平均値の割合を１又は複数回報知することを特徴とする空気調和機。
【請求項２】
前記報知手段は、前記所定期間内において前記目標値に対する前記積算値または前記平均値の割合が前記所定割合に達した場合にその旨を報知した後、前記所定期間内において前記目標値に対する前記積算値または前記平均値の割合が所定値だけ変化する度に、その旨を報知することを特徴とする請求項１に記載の空気調和機。
【請求項３】
室内機と、前記室内機との間で信号の送受信可能なリモコンとを備え、
前記報知手段は、前記室内機及び前記リモコンの少なくとも一方に設けられた表示部への表示により前記目標値に対する前記積算値または前記平均値の割合に関する情報を報知することを特徴とする請求項１または２に記載の空気調和機。
【請求項４】
室内機と、前記室内機との間で信号の送受信可能なリモコンとを備え、
前記報知手段は、前記室内機及び前記リモコンの少なくとも一方に設けられたスピーカからの音声により前記目標値に対する前記積算値または前記平均値の割合に関する情報を報知することを特徴とする請求項１〜３のいずれか１項に記載の空気調和機。
【請求項５】
前記目標値に対する前記積算値または前記平均値の割合に基づいて運転状態を変更する制御手段を備えていることを特徴とする請求項１〜４のいずれか１項に記載の空気調和機。
【請求項６】
前記制御手段は、前記目標値に対する前記積算値または前記平均値の割合が、前記積算値または前記平均値が前記目標値未満である状態に対応した所定割合に達した場合に、運転状態を変更することを特徴とする請求項５に記載の空気調和機。
【請求項７】
前記制御手段は、前記所定期間内において前記目標値に対する前記積算値または前記平均値の割合が前記所定割合に達した場合に運転状態を変更した後、前記所定期間内において前記目標値に対する前記積算値または前記平均値の割合が所定値だけ変化する度に、運転状態を変更することを特徴とする請求項６に記載の空気調和機。
【請求項８】
前記制御手段は、室内温度の設定温度を上昇または低下させることにより運転状態を変更することを特徴とする請求項５〜７のいずれか１項に記載の空気調和機。
【請求項９】
複数のモードのうちのいずれかのモードを設定可能であって、
前記制御手段は、モード毎に互いに異なる温度ずつ室内温度の設定温度を上昇または低下させることを特徴とする請求項８に記載の空気調和機。
【請求項１０】
前記制御手段は、運転を停止することを特徴とする請求項６に記載の空気調和機。 
【手続補正２】
【補正対象書類名】明細書
【補正対象項目名】全文
【補正方法】変更
【補正の内容】
【発明の詳細な説明】
【技術分野】
【０００１】
本発明は、エネルギー消費に関する項目である電気料金等の消費割合を知らせる機能を備えた空気調和機に関するものである。
【背景技術】
【０００２】
室内機と室外機とを備えた空気調和機には、運転時の消費電力に基づいて消費した電気料金を算出し、その電気料金をユーザに知らせる機能を備えたものがある。このような空気調和機では、例えば運転停止後から所定時間が経過するまでにリモコンの「お知らせスイッチ」が押された場合に、空気調和機で消費した電気料金が室内機の表示部に表示される（例えば、特許文献１参照）。従って、ユーザは、リモコンの「お知らせスイッチ」を押すことで、空気調和機で消費した電気料金を確認することができる。
【特許文献１】特開２００１−７４２９９号公報
【発明の開示】
【発明が解決しようとする課題】
【０００３】
しかしながら、上記の空気調和機では、ユーザがリモコンの「お知らせスイッチ」を押さない限り、空気調和機で消費した電気料金は表示されない。そのため、ユーザが所定期間内における電気料金の目標値をあらかじめ設定していた場合でも、ユーザがリモコンの「お知らせスイッチ」を押す操作を行わなければ、ユーザが気付かないうちに、空気調和機で消費した電気料金が目標値を大幅に上回ることがある。
【０００４】
ところで、現在もっとも課題とされている地球温暖化は、ＣＯ２排出量の増大が主な原因と考えられる。従って、ユーザは、環境への配慮の取り組みとして、ＣＯ２排出量の削減に取り組むことが重要である。しかしながら、どれくらいの消費電力を減少させることで、どれくらいのＣＯ２排出量が削減されるのかをユーザが認識するのは困難である。また、空気調和機での消費電力を減少させるためには、外気温度などに応じた最も効率のよい運転（省エネ運転）を行うのが望ましいが、室内温度の設定温度や室内機の風量設定などによっては、上記の省エネ運転よりも効率の低い運転となってしまう。そして、空気調和機の運転が効率の低い運転である場合には、消費電力が多くなる。
【０００５】
そこで、本発明の主な目的は、エネルギー消費に関する項目についての消費割合に関する情報を自動的に知らせる機能を備えた空気調和機を提供することである。
【０００６】
また、本発明の他の目的は、エネルギー消費に関する項目についての消費割合に基づいて運転状態を自動的に変更する機能を備えた空気調和機を提供することである。
【課題を解決するための手段】
【０００７】
第１の発明に係る空気調和機は、所定期間内における消費電力または電気料金の積算値または平均値の目標値を記憶する記憶手段と、前記所定期間の開始時から実際に要した消費電力または電気料金の積算値または平均値を算出する算出手段と、前記目標値に対する前記積算値または前記平均値の割合に関する情報を報知する報知手段とを備え、前記報知手段は、前記所定期間内において前記目標値に対する前記積算値または前記平均値の割合が、前記積算値または前記平均値が前記目標値未満である状態に対応した所定割合に達した場合にその旨を報知すると共に、その後、前記所定期間内において前記目標値に対する前記積算値または前記平均値の割合を１又は複数回報知することを特徴としている。
【０００８】
【０００９】
【００１０】
【００１１】
この空気調和機では、所定期間内におけるエネルギー消費に関する項目である消費電力または電気料金についての積算値または平均値の目標値を設定しておくと、その所定期間内において実際に要した上記項目についての積算値または平均値の目標値に対する割合（上記項目についての消費割合）に関する情報が自動的に報知される。そのため、ユーザは、リモコンのスイッチを押す等の操作を行うことなく、上記項目についての消費割合を知ることができる。従って、ユーザは、上記項目についての消費割合の変化を把握することで、上記項目についての積算値または平均値が目標値を上回るのを抑制するために、空気調和機の使用を調整することが可能になる。また、上記項目についての消費割合に関する情報が自動的に報知されることにより省エネの意識が啓発されると共に、ユーザは、上記項目についての積算値または平均値を目標値以内におさめることで節約の達成感及び満足感を得ることができる。
【００１２】
【００１３】
また、この空気調和機では、ユーザは、上記項目についての消費割合に関する情報が報知されるタイミングを適宜変更することができる。
【００１４】
第２の発明に係る空気調和機は、第１の発明に係る空気調和機であって、前記報知手段は、前記所定期間内において前記目標値に対する前記積算値または前記平均値の割合が前記所定割合に達した場合にその旨を報知した後、前記所定期間内において前記目標値に対する前記積算値または前記平均値の割合が所定値だけ変化する度に、その旨を報知することを特徴としている。
【００１５】
この空気調和機では、ユーザは、上記項目についての消費割合の変化を確実に把握することができる。
【００１６】
第３の発明に係る空気調和機は、第１または２に係る空気調和機であって、室内機と、前記室内機との間で信号の送受信可能なリモコンとを備え、前記報知手段は、前記室内機及び前記リモコンの少なくとも一方に設けられた表示部への表示により前記情報を報知することを特徴としている。
【００１７】
この空気調和機では、上記項目についての消費割合に関する情報が表示部への表示により報知されるので、ユーザは上記項目についての消費割合を容易に確認することができる。
【００１８】
第４の発明に係る空気調和機は、第１〜３の発明のいずれかに係る空気調和機であって、室内機と、前記室内機との間で信号の送受信可能なリモコンとを備え、前記報知手段は、前記室内機及び前記リモコンの少なくとも一方に設けられたスピーカからの音声により前記情報を報知することを特徴としている。
【００１９】
この空気調和機では、上記項目についての消費割合に関する情報がスピーカからの音声により報知されるので、ユーザは上記項目についての消費割合を確実に確認することができる。
【００２０】
【００２１】
第５の発明に係る空気調和機は、第１〜４の発明のいずれかに係る空気調和機であって、前記目標値に対する前記積算値または前記平均値の割合に基づいて運転状態を変更する制御手段を備えていることを特徴としている。
【００２２】
【００２３】
【００２４】
この空気調和機では、所定期間内におけるエネルギー消費に関する項目についての積算値または平均値の目標値を設定しておくと、その所定期間内において実際に要した上記項目の積算値または平均値の目標値に対する割合（上記項目の消費割合）に基づいて、空気調和機の運転状態が自動的に変更される。従って、上記項目についての積算値または平均値の目標値を設定しておくだけで、ユーザが気付かないうちに、上記項目についての積算値または平均値が目標値を大幅に上回るのを防止することができる。また、ユーザは、空気調和機の運転状態の変化から、上記項目についての積算値または平均値が目標値に近づいていることを把握することで、空気調和機の使用を調整することが可能になる。
【００２５】
第６の発明に係る空気調和機は、第５の発明に係る空気調和機であって、前記制御手段は、前記目標値に対する前記積算値または前記平均値の割合が、前記積算値または前記平均値が前記目標値未満である状態に対応した所定割合に達した場合に、運転状態を変更することを特徴としている。
【００２６】
この空気調和機では、ユーザは、空気調和機の運転状態が変更されるタイミングを適宜変更することができる。
【００２７】
第７の発明に係る空気調和機は、第６の発明に係る空気調和機であって、前記制御手段は、前記所定期間内において前記目標値に対する前記積算値または前記平均値の割合が前記所定割合に達した場合に運転状態を変更した後、前記所定期間内において前記目標値に対する前記積算値または前記平均値の割合が所定値だけ変化する度に、運転状態を変更することを特徴としている。
【００２８】
この空気調和機では、上記項目についての積算値または平均値が目標値を大幅に上回るのを確実に防止することができる。
【００２９】
第８の発明に係る空気調和機は、第５〜７の発明のいずれかに係る空気調和機であって、前記制御手段は、室内温度の設定温度を上昇または低下させることにより運転状態を変更することを特徴としている。
【００３０】
この空気調和機では、空気調和機の運転状態を容易に変更することができる。
【００３１】
第９の発明に係る空気調和機は、第８の発明に係る空気調和機であって、複数のモードのうちのいずれかのモードを設定可能であって、前記制御手段は、モード毎に互いに異なる温度ずつ室内温度の設定温度を上昇または低下させることを特徴としている。
【００３２】
この空気調和機では、複数のモードのそれぞれにおいて互いに異なる温度ずつ設定温度を変更されるので、ユーザは、節約の度合に応じて複数のモードのいずれかを選択することができる。
【００３３】
第１０の発明に係る空気調和機は、第６の発明に係る空気調和機であって、前記制御手段は、運転を停止することを特徴としている。
【００３４】
この空気調和機では、上記項目についての積算値または平均値が目標値を大幅に上回るのをより確実に防止することができる。
【発明の効果】
【００３５】
以上の説明に述べたように、本発明によれば、以下の効果が得られる。
【００３６】
第１〜４の発明では、所定期間内におけるエネルギー消費に関する項目である消費電力または電気料金についての積算値または平均値の目標値を設定しておくと、その所定期間内において実際に要した上記項目についての積算値または平均値の目標値に対する割合（上記項目についての消費割合）に関する情報が自動的に報知される。そのため、ユーザは、リモコンのスイッチを押す等の操作を行うことなく、上記項目についての消費割合を知ることができる。従って、ユーザは、上記項目についての消費割合の変化を把握することで、上記項目についての積算値または平均値が目標値を上回るのを抑制するために、空気調和機の使用を調整することが可能になる。また、上記項目についての消費割合に関する情報が自動的に報知されることにより省エネの意識が啓発されると共に、ユーザは、上記項目についての積算値または平均値を目標値以内におさめることで節約の達成感及び満足感を得ることができる。
【００３７】
第５〜１０の発明では、所定期間内におけるエネルギー消費に関する項目についての積算値または平均値の目標値を設定しておくと、その所定期間内において実際に要した上記項目の積算値または平均値の目標値に対する割合（上記項目の消費割合）に基づいて、空気調和機の運転状態が自動的に変更される。従って、上記項目についての積算値または平均値の目標値を設定しておくだけで、ユーザが気付かないうちに、上記項目についての積算値または平均値が目標値を大幅に上回るのを防止することができる。また、ユーザは、空気調和機の運転状態の変化から、上記項目についての積算値または平均値が目標値に近づいていることを把握することで、空気調和機の使用を調整することが可能になる。
【発明を実施するための最良の形態】
【００３８】
以下、本発明に係る空気調和機の実施の形態について、図面を参照しつつ説明する。図１は、本発明の第１の実施の形態に係る空気調和機の斜視図である。図２は、図１の室内機の部分拡大図である。図３は、図１のリモコンを示す図である。
【００３９】
図１の空気調和機１は、室内の壁などに取り付けられる室内機２と、室外に設置される室外機（図示しない）と、ユーザが種々の操作を行うために室内機２との間で信号の送受信可能なリモコン１０とを備えている。そして、室内機２の前面には、実際に消費した電気料金の目標値に対する割合（以下、電気料金の消費割合と記載する）をユーザに知らせるための表示部３及びスピーカ４が設けられている。
【００４０】
表示部３は、図２に示すように、文字が表示される文字表示部３ａと、複数のランプが配置されたランプ部３ｂとを有している。文字表示部３ａは、電気料金の消費割合を文字でユーザに知らせるためのものである。また、ランプ部３ｂは、電気料金の消費割合が５０％、６０％、７０％、８０％、９０％に到達した場合に点灯する複数のランプを有している。図２では、電気料金の消費割合が８０％に到達した場合が図示されている。
【００４１】
スピーカ４は、電気料金の消費割合を音声でユーザに知らせるためのものである。従って、例えば電気料金の消費割合が８０％に到達した場合には、目標値の８０％の電気料金を消費した旨がスピーカ４から報知される。ここで、スピーカ４からのお知らせは、電気料金の消費割合が大きくなるにつれて次第に強い表現になるようにしてもよいし、音量を大きくしてもよい。
【００４２】
リモコン１０は、図３に示すように、表示部１１と、操作部１２とを有している。表示部１１には、ユーザが設定した設定温度を表示する設定温度表示部１１ａと、電気料金の消費割合を表示する電気料金表示部１１ｂとが含まれる。電気料金表示部１１ｂは、節約お知らせモード（節約モード）の設定内容と、電気料金の消費割合とを表示可能である。
【００４３】
また、操作部１２には、節約お知らせボタン１３と、節約設定ボタン１４とが含まれる。節約お知らせボタン１３は、現在までの電気料金の消費割合を確認する場合に用いられる。つまり、ユーザが、節約お知らせボタン１３を押すと、現在までの電気料金の消費割合がリモコン１０の電気料金表示部１１ｂに表示される。
【００４４】
節約設定ボタン１４は、節約お知らせモードを設定する場合に用いられる。本実施の形態では、節約お知らせモードの設定には、「本気節約モード」と、「らくらく節約モード」との２つのモードがあり、節約設定ボタン１４を押すたびに、「本気節約モード」及び「らくらく節約モード」のいずれかに切り換わる。また、節約設定ボタン１４を長押しすることで、節約お知らせモードの設定を解除可能である。
【００４５】
次に、本実施の形態の空気調和機１の制御ユニットの構成について、図４を参照して説明する。図４は、図１の空気調和機の制御ユニットの構成を示すブロック図である。制御ユニット３０は、節約モード記憶部３１と、目標値記憶部３２と、電気料金算出部３３と、制御部３４とを有している。また、制御ユニット３０には、室内機２の文字部３及びスピーカ４と、リモコン１０の表示部１１及び操作部１２とがそれぞれ接続されている。
【００４６】
節約モード記憶部３１は、空気調和機１における節約モードに関する種々の設定を記憶するものである。節約モード記憶部３１に記憶される設定には、ユーザが設定可能な複数の節約モードにおける詳細な設定が含まれる。本実施の形態では、上述したように、節約モードの設定には、「本気節約モード」と、「らくらく節約モード」との２つのモードがあるので、それらのモードにおける詳細な設定が記憶される。
【００４７】
各節約モードにおける詳細な設定には、電気料金の目標値の期間の設定と、電気料金の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機１の運転状態を変更する場合の設定温度の温度幅の設定とが含まれる。
【００４８】
本実施の形態では、電気料金の目標値の期間の設定としては、１年間、１ヶ月間、１週間、１日のいずれかの設定が可能であって、ユーザによって選択された期間が記憶される。従って、空気調和機１では、節約モード記憶部３１に記憶された所定期間において実際に消費した電気料金の積算値が算出され、その積算値の上記の所定期間の目標値に対する消費割合がユーザに知らされる。
【００４９】
また、設定温度の温度幅の設定としては、「本気節約モード」においては第１温度幅（例えば２℃）が設定され、「らくらく節約モード」においては第２温度幅（例えば１℃）が設定されている。このように、設定温度の温度幅はモード毎にそれぞれ設定される。
【００５０】
目標値記憶部３２は、ユーザによって設定された各期間ごとの電気料金の目標値を記憶する。本実施の形態では、ユーザは、空気調和機１の取扱説明書に記載された例えば地域別の目安表等を参考にし、１年間のトータル電気料金の目標値を設定すると、月、週、日ごとの目標値が自動的に計算されるようになっている。そのため、目標値記憶部３２は、１年間、１ヶ月間、１週間、１日ごとの目標値を記憶している。
【００５１】
電気料金算出部３３は、空気調和機１での消費電力に基づいて電気料金の積算値を算出する。そして、ユーザに知らせる電気料金の消費割合は、電気料金算出部３３で算出された電気料金の積算値と、目標値記憶部３２に記憶された各期間の目標値とに基づくものである。
【００５２】
制御部３４は、空気調和機１の各部の動作などを制御するものである。従って、制御部３４は、室内機２の表示部３に表示される内容、スピーカ４から報知される内容、及び、リモコン１０の表示部１１に表示される内容等を制御可能である。
【００５３】
次に、本実施の形態の空気調和機１の動作手順について、図４を参照して説明する。図４は、本実施の形態の空気調和機の動作手順を示すフローチャートである。
【００５４】
まず、ユーザによって電気料金の目標値が設定される（ステップＳ１）。ここでは、１年間のトータル電気料金の目標値が設定されることで、月、週、日ごとの目標値が自動的に算出され、目標値記憶部３２に記憶される。
【００５５】
そして、ユーザによって現在までの電気料金の消費割合を確認するか否か（節約お知らせボタン１４が押されたか否か）を判断する（ステップＳ２）。ここで、ユーザが現在までの電気料金の消費割合を確認する場合（Ｓ２：ＹＥＳ）には、現在までの電気料金の消費割合がユーザに知らされる（ステップＳ３）。このとき、節約お知らせボタン１４が押される度に、今日、今日までの１週間、今日までの１ヶ月間、今日までの１年間の目標値に対する電気料金の消費割合がユーザに知らされる。また、本実施の形態において電気料金の消費割合がユーザに知らされる場合には、室内機２の表示部３での表示、スピーカ４からの報知及びリモコン１０の表示部１１への表示の全てが行われ、以下の説明においても同様である。
【００５６】
次に、ユーザによって節約モードの設定が行われる（ステップＳ４）。つまり、ユーザは、「本気節約モード」及び「らくらく節約モード」のいずれかを選択すると共に、電気料金の目標値の期間を１年間、１ヶ月間、１週間、１日のいずれかを選択する。従って、ユーザに知らせる電気料金の消費割合は、ユーザによって選択された電気料金の目標値の期間に基づくものである。
【００５７】
そして、「本気節約モード」が設定されたか否かが判断される（ステップＳ５）。ここで、「本気節約モード」が設定された場合（Ｓ５：ＹＥＳ）には、電気料金の消費割合が目標値の５０％に到達したか否かが繰り返し判断される（ステップＳ６）。そして、電気料金の消費割合が目標値の５０％に到達した場合（Ｓ６：ＹＥＳ）には、電気料金の消費割合がユーザに知らされる（ステップＳ７）。
【００５８】
その後、定数Ｎが０に設定され（ステップＳ８）、電気料金の消費割合が目標値の６０＋Ｎ％に到達したか否かが繰り返し判断される（ステップＳ９）。ここでは、定数Ｎは０に設定されているので、電気料金の消費割合が目標値の６０％に到達したか否かが繰り返し判断される。そして、電気料金の消費割合が目標値の６０％に到達した場合（Ｓ９：ＹＥＳ）には、電気料金の消費割合がユーザに知らされる（ステップＳ１０）。
【００５９】
このとき、空気調和機１における室内温度の設定温度が第１温度幅だけ変更される（ステップＳ１１）。ここで、空気調和機１が冷房運転中である場合は設定温度が第１温度幅だけ上昇するように変更され、暖房運転中である場合は設定温度が第１温度幅だけ低下するように変更される。その後、電気料金の消費割合が目標値の１００％に到達したか否かが判断される（ステップＳ１２）。ここで、電気料金の消費割合が目標値の１００％に到達した場合（Ｓ１２：ＹＥＳ）には、電気料金の消費割合がユーザに知らされる（ステップＳ１４）。その後、「本気節約モード」においては、空気調和機１の運転が停止される（ステップＳ１５）。
【００６０】
一方、目標値の１００％に到達していない場合（Ｓ１２：ＮＯ）には、定数ＮがＮ＋１０に変更され（ステップＳ１３）、ステップＳ９に戻って同様の処理が繰り返される。つまり、定数Ｎは１０ごとに変更されるので、次は、電気料金の消費割合が目標値の７０％に到達したか否かが繰り返し判断され、その後、目標値の８０％、９０％に到達したか否かが順に判断されることになる。
【００６１】
ところで、「らくらく節約モード」が設定された場合つまり「本気節約モード」が設定されなかった場合（Ｓ５：ＮＯ）にも同様に、電気料金の消費割合が目標値の５０％に到達したか否かが繰り返し判断される（ステップＳ１６）。そして、電気料金の消費割合が目標値の５０％に到達した場合（Ｓ１６：ＹＥＳ）には、その旨がユーザに知らされる（ステップＳ１７）。
【００６２】
その後、定数Ｎが０に設定され（ステップＳ１８）、電気料金の消費割合が目標値の６０＋Ｎ％に到達したか否かが繰り返し判断される（ステップＳ１９）。ここでは、定数Ｎは０に設定されているので、電気料金の消費割合が目標値の６０％に到達したか否かが繰り返し判断される。そして、電気料金の消費割合が目標値の６０％に到達した場合（Ｓ１９：ＹＥＳ）には、その旨がユーザに知らされる（ステップＳ２０）。
【００６３】
また、このとき、空気調和機１における室内温度の設定温度が第２温度幅だけ変更される（ステップＳ２１）。ここで、空気調和機１が冷房運転中である場合は設定温度が第２温度幅だけ上昇するように変更され、暖房運転中である場合は設定温度が第２温度幅だけ低下するように変更される。その後、電気料金の消費割合が目標値の１００％に到達したか否かが判断される（ステップＳ２２）。
【００６４】
ここで、電気料金の消費割合が目標値の１００％に到達した場合（Ｓ２２：ＹＥＳ）には、電気料金の消費割合がユーザに知らされる（ステップＳ２４）。また、このとき、空気調和機１における室内温度の設定温度が第２温度幅だけ変更される（ステップＳ２５）
。その後、電気料金の消費割合のお知らせと設定温度の変更とが交互に繰り返される。
【００６５】
一方、目標値の１００％に到達していない場合（Ｓ２２：ＮＯ）には、定数ＮがＮ＋１０に変更され（ステップＳ２３）、ステップＳ１９に戻って同様の処理が繰り返される。つまり、定数Ｎは１０ごとに変更されるので、次は、目標値の７０％に到達したか否かが繰り返し判断され、その後、目標値の８０％、９０％に到達したか否かが順に判断されることになる。
【００６６】
本実施の形態では、例えば１日の目標値に対する電気料金の消費割合がユーザに知らされる場合において、ある１日における電気料金の積算値が１日の目標値よりも小さいときには、そのときの電気料金の積算値と目標値との差が次の日に繰り越されてもよい。つまり、この場合には、前日の電気料金の積算値と目標値との差が次の日の目標値に加算されるので、次の日においては、前日の電気料金の積算値と目標値との差が加算された目標値に対する消費割合がユーザに知らされることになる。
【００６７】
以上説明したように、本実施の形態の空気調和機１では、所定期間内における電気料金の目標値を設定しておくと、その所定期間内における電気料金の消費割合に関する情報が自動的に報知される。そのため、ユーザは、リモコンのスイッチを押す等の操作を行うことなく、電気料金の消費割合を知ることができる。従って、ユーザは、現在までに消費した電気料金の変化を把握することで、電気料金が目標値を上回るのを抑制するために、空気調和機１の使用を調整することが可能になる。また、電気料金の消費割合に関する情報が自動的に報知されることにより省エネの意識が啓発されると共に、ユーザは電気料金を目標値以内におさめることで節約の達成感及び満足感を得ることができる。
【００６８】
また、空気調和機１では、所定期間内における電気料金等の目標値を設定しておくと、その所定期間内における電気料金の消費割合に基づいて、空気調和機１の運転状態が自動的に変更される。従って、電気料金の目標値を設定しておくだけで、ユーザが気付かないうちに、実際に要した電気料金の積算値が目標値を大幅に上回るのを防止することができる。また、ユーザは、空気調和機１の運転状態の変化から電気料金が目標値に近づいていることを把握することで、空気調和機１の使用時間を調整することが可能になる。
【００６９】
次に、本発明の第１の参考例について、図面を参照しつつ説明する。図６は、本発明の第１の参考例の空気調和機の制御ユニットの構成を示すブロック図である。
【００７０】
本参考例の空気調和機が第１の実施の形態の空気調和機１と主に異なる点は、第１の実施の形態では、電気料金の積算値が算出され、その積算値の電気料金の目標値に対する消費割合がユーザに知らされるが、本参考例では、エネルギー消費量に基づいてＣＯ２排出量の積算値が導出され、そのＣｏ２排出量の積算値の目標値に対する消費割合がユーザに知らされる点である。本参考例の空気調和機の構成において、第１の実施の形態の空気調和機１と同様の構成については、同一の符号を付けて詳細な説明は省略する。
【００７１】
制御ユニット１３０は、節約モード記憶部１３１と、目標値記憶部１３２と、ＣＯ２排出量算出部１３３と、制御部３４とを有している。また、制御ユニット１３０には、室内機２の文字部３及びスピーカ４と、リモコン１０の表示部１１及び操作部１２とがそれぞれ接続されている。
【００７２】
節約モード記憶部１３１は、空気調和機における節約モードに関する種々の設定を記憶するものである。節約モード記憶部１３１に記憶される設定には、「本気節約モード」と、「らくらく節約モード」との２つのモードがあり、各節約モードにおける詳細な設定には、ＣＯ２排出量の目標値の期間の設定と、ＣＯ２排出量の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【００７３】
目標値記憶部１３２は、ユーザによって設定された各期間ごとのＣＯ２排出量の目標値を記憶する。本実施の形態では、ユーザは、目標値記憶部１３２に対し、１年間、１ヶ月間、１週間、１日ごとの目標値を設定することができる。
【００７４】
ＣＯ２排出量算出部１３３は、空気調和機での消費電力に基づいてＣＯ２排出量の積算値を算出する。ここで、ＣＯ２排出量算出部１３３では、次式に基づいて、ＣＯ２排出量の積算値が算出される。
ＣＯ２排出量＝消費電力×ＣＯ２原単位
（但し、ＣＯ２原単位は、0.533 kg・CO2/kwh）
【００７５】
本実施の形態では、ユーザに知らせるＣＯ２排出量の消費割合は、ＣＯ２排出量算出部１３３で算出されたＣＯ２排出量の積算値と、目標値記憶部１３２に記憶された各期間の目標値とに基づくものである。
【００７６】
次に、本参考例の空気調和機の動作手順は、電気料金の目標値の代わりにＣＯ２排出量の目標値が設定されることと、電気料金の消費割合の代わりにＣＯ２排出量の消費割合が知らされること以外は、第１の実施の形態の空気調和機１の動作手順と同様である。
【００７７】
以上説明したように、本参考例の空気調和機では、所定期間内におけるＣＯ２排出量の目標値を設定しておくと、その所定期間内におけるＣＯ２排出量の消費割合に関する情報が自動的に報知される。そのため、ユーザは、リモコンのスイッチを押す等の操作を行うことなく、ＣＯ２排出量の消費割合を知ることができる。
【００７８】
次に、本発明の第２の参考例について、図面を参照しつつ説明する。図７は、本発明の第２の参考例の空気調和機の制御ユニットの構成を示すブロック図である。
【００７９】
本参考例の空気調和機が第１の実施の形態の空気調和機１と主に異なる点は、第１の実施の形態では、電気料金の積算値が算出され、その積算値の電気料金の目標値に対する消費割合がユーザに知らされるが、本参考例では、空気調和機において低効率運転が行われる運転時間が計測され、その低効率運転時間の積算値の目標値に対する消費割合がユーザに知らされる点である。本参考例の空気調和機の構成において、第１の実施の形態の空気調和機１と同様の構成については、同一の符号を付けて詳細な説明は省略する。
【００８０】
制御ユニット２３０は、節約モード記憶部２３１と、目標値記憶部２３２と、低効率運転時間算出部２３３と、制御部３４とを有している。また、制御ユニット２３０には、室内機２の文字部３及びスピーカ４と、リモコン１０の表示部１１及び操作部１２とがそれぞれ接続されている。
【００８１】
節約モード記憶部２３１は、空気調和機における節約モードに関する種々の設定を記憶するものである。節約モード記憶部２３１に記憶される設定には、「本気節約モード」と、「らくらく節約モード」との２つのモードがあり、各節約モードにおける詳細な設定には、低効率運転時間の目標値の期間の設定と、低効率運転時間の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【００８２】
目標値記憶部２３２は、ユーザによって設定された各期間ごとの低効率運転時間の目標値を記憶する。本実施の形態では、ユーザは、目標値記憶部２３２に対し、１年間、１ヶ月間、１週間、１日ごとの目標値を設定することができる。
【００８３】
低効率運転時間算出部２３３は、空気調和機において低効率運転が行われる時間を計測（算出）する。そして、ユーザに知らせる低効率運転時間の消費割合は、低効率運転時間計測部２３３で算出された低効率運転時間の積算値と、目標値記憶部２３２に記憶された各期間の目標値とに基づくものである。ここで、低効率運転とは、外気温度などに応じた最も効率のよい運転（省エネ運転）より効率が低い状態での運転であって、例えば運転周波数が高い、風量設定が低い状態等での運転などが設定される。
【００８４】
ここで、本参考例において、低効率運転時間計測部２３３において計測が行われる手順について、図８を参照して説明する。図８は、低効率運転時間計測部において計測が行われる手順を示すフローチャートである。
【００８５】
まず、空気調和機の圧縮機の運転周波数が所定の運転周波数以上（例えば６０Ｈｚ以上）か否かが判断される（ステップＳ１０１）。ここで、圧縮機の運転周波数が所定の運転周波数以上である場合（Ｓ１０１：ＹＥＳ）には、冷房運転が行われているか否かが判断される（ステップＳ１０２）。ここで、冷房運転が行われている場合（Ｓ１０２：ＹＥＳ）には、外気温度が第１の所定温度以上（例えば３５℃以上）であり且つ室内温度が第２の所定温度以下（例えば２７℃以下）であるか否かが判断される（ステップＳ１０３）。ここで、外気温度が第１の所定温度以上であり且つ室内温度が第２の所定温度以下である場合（Ｓ１０３：ＹＥＳ）には、室内機の風量が所定量以下（例えばＬタップ以下）か）か否かが判断される（ステップＳ１０４）。ここで、室内機の風量が所定量以下である場合（Ｓ１０４：ＹＥＳ）には、空気調和機の運転状態が低効率運転であると判断され、低効率運転時間の計測が行われる（ステップＳ１０５）。
【００８６】
また、ステップＳ１０４において、冷房運転時の室内機の風量が所定量以下でない場合（Ｓ１０４：ＮＯ）には、室内機のフラップのスイング動作が行われていないか否かが判断される（ステップＳ１０７）。ここで、室内機のフラップのスイング動作が行われていない場合（Ｓ１０７：ＹＥＳ）には、空気調和機の運転状態が低効率運転であると判断され、低効率運転時間の計測が行われる（ステップＳ１０５）。
【００８７】
一方、ステップＳ１０２において、冷房運転が行われていない場合つまり暖房運転が行われている（Ｓ１０２：ＮＯ）には、外気温度が第３の所定温度以下（例えば７℃以下）であり且つ室内温度が第４の所定温度以上（例えば２５℃以上）であるか否かが判断される（ステップＳ１０６）。ここで、外気温度が第３の所定温度以下であり且つ室内温度が第４の所定温度以上である場合（Ｓ１０６：ＹＥＳ）には、室内機の風量が所定量以下（例えばＬタップ以下）か否かが判断される（ステップＳ１０４）。ここで、室内機の風量が所定量以下である場合（Ｓ１０４：ＹＥＳ）には、空気調和機の運転状態が低効率運転であると判断され、低効率運転時間の計測が行われる（ステップＳ１０５）。
【００８８】
また、ステップＳ１０４において、暖房運転時の室内機の風量が所定量以下でない場合（Ｓ１０４：ＮＯ）には、室内機のフラップのスイング動作が行われていないか否かが判断される（ステップＳ１０７）。ここで、室内機のフラップのスイング動作が行われていない場合（Ｓ１０７：ＹＥＳ）には、空気調和機の運転状態が低効率運転であると判断され、低効率運転時間の計測が行われる（ステップＳ１０５）。
【００８９】
ところで、ステップＳ１０３において、外気温度が第１の所定温度以上であり且つ室内温度が第２の所定温度以下でない場合（Ｓ１０３：ＮＯ）や、ステップＳ１０６において、外気温度が第３の所定温度以下であり且つ室内温度が第４の所定温度以上でない場合（Ｓ１０６：ＮＯ）や、ステップＳ１０７において、室内機のフラップのスイング動作が行われている場合（Ｓ１０７：ＮＯ）には、空気調和機の運転状態が低効率運転でないと判断され、低効率運転時間の計測が終了する（ステップＳ１０８）。
【００９０】
上記のステップＳ１０５及びステップＳ１０８の後は、ステップＳ１０１に戻って、上記と同様の手順が繰り返される。
【００９１】
次に、本参考例の空気調和機の動作手順は、電気料金の目標値の代わりに低効率運転時間の目標値が設定されることと、電気料金の消費割合の代わりに低効率運転時間の消費割合が知らされること以外は、第１の実施の形態の空気調和機１の動作手順と同様である。
【００９２】
以上説明したように、本参考例の空気調和機では、所定期間内における低効率運転時間の目標値を設定しておくと、その所定期間内における低効率運転時間の消費割合に関する情報が自動的に報知される。そのため、ユーザは、リモコンのスイッチを押す等の操作を行うことなく、低効率運転時間の消費割合を知ることができる。
【００９３】
次に、本発明の第２の実施の形態について、図面を参照しつつ説明する。図９は、本発明の第２の実施の形態の空気調和機の制御ユニットの構成を示すブロック図である。
【００９４】
本実施の形態の空気調和機が第１の実施の形態の空気調和機１と主に異なる点は、第１の実施の形態では、電気料金の積算値が算出され、その電気料金の積算値の目標値に対する消費割合がユーザに知らされるが、本実施の形態では、電気料金の平均値が算出され、その電気料金の平均値の目標値に対する消費割合がユーザに知らされる点である。本実施の形態の空気調和機の構成において、第１の実施の形態の空気調和機１と同様の構成については、同一の符号を付けて詳細な説明は省略する。
【００９５】
制御ユニット３３０は、節約モード記憶部３３１と、目標値記憶部３３２と、平均値算出部３３３と、制御部３４とを有している。また、制御ユニット３３０には、室内機２の文字部３及びスピーカ４と、リモコン１０の表示部１１及び操作部１２とがそれぞれ接続されている。
【００９６】
節約モード記憶部３３１は、空気調和機における節約モードに関する種々の設定を記憶するものである。節約モード記憶部３３１に記憶される設定には、「本気節約モード」と、「らくらく節約モード」との２つのモードがあり、各節約モードにおける詳細な設定には、平均値の目標値の期間の設定と、平均値の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【００９７】
目標値記憶部３３２は、ユーザによって設定された各期間ごとの電気料金の目標値を記憶する。本実施の形態では、ユーザは、目標値記憶部３３２に対し、１年間、１ヶ月間、１週間、１日ごとの平均値の目標値を設定することができる。
【００９８】
平均値算出部３３３は、空気調和機での消費電力に基づいて電気料金の積算開始時からの電気料金の平均値を算出する。そして、ユーザに知らせる電気料金の平均値の消費割合は、平均値算出部３３３で算出された電気料金の平均値と、目標値記憶部３３２に記憶された各期間の電気料金の平均値の目標値とに基づくものである。
【００９９】
本実施の形態では、目標値記憶部３３２には、１ヶ月間ごとの平均値の目標値が設定されている。つまり、１ヶ月間の電気料金の目標値が１ヶ月間に対応した時間で除算されることによって算出された１時間あたりの電気料金の平均値が記憶されている。
【数１】
2015038384.tif 000014
また、平均値算出部３３３では、次式に基づいて、１時間ごとに、積算開始時からの電気料金の平均値が算出される。
【数２】
2015038384.tif 000015
そして、平均値（目標値）に対する平均値（積算値）の割合が、電気料金の平均値の消費割合となる。
【０１００】
なお、所定のマスキング時間（例えば１２時間）が設定されており、積算開始時からマスキング時間が経過するまでは、平均値算出部３３３では、平均値の算出は行われない。つまり、積算開始時からの電気料金の積算値が比較的小さい場合には、平均値算出部３３３で算出される平均値が大きくふれることが多いからである。従って、積算開始時からマスキング時間が経過して、積算開始時からの電気料金の積算値が比較的大きくなった後で、平均値の算出が開始されることで、平均値算出部３３３で算出される平均値が大きくふれるのが防止される。
【０１０１】
次に、本実施の形態の空気調和機の動作手順は、電気料金の積算値の目標値の代わりに電気料金の平均値の目標値が設定されることと、電気料金の積算値の消費割合の代わりに電気料金の平均値の消費割合が知らされること以外は、第１の実施の形態の空気調和機１の動作手順と同様である。
【０１０２】
以上説明したように、本実施の形態の空気調和機では、所定期間内における電気料金の平均値の目標値を設定しておくと、その所定期間内における電気料金の平均値の消費割合に関する情報が自動的に報知される。そのため、ユーザは、リモコンのスイッチを押す等の操作を行うことなく、電気料金の平均値の消費割合を知ることができる。
【０１０３】
ここで、本実施の形態では、電気料金の平均値の消費割合が知らされることによって、第１の実施の形態のように電気料金の積算値の消費割合が知らされる場合と比較して、１ヶ月間における電気料金の消費のペースをユーザに対して早めに知らせることができる。つまり、第１の実施の形態では、目標設定の期間によっては、その期間の後半になるまで電気料金の消費割合が知らされないことが考えられるが、本実施の形態では、ユーザは、１ヶ月間における電気料金の消費のペースを早く認識することで、１ヶ月間の早い段階から電気料金の消費を抑制することができる。
【０１０４】
以上、本発明の実施の形態について図面に基づいて説明したが、具体的な構成は、これらの実施の形態に限られるものではなく、発明の要旨を逸脱しない範囲で変更可能である。
【０１０５】
上述の第１及び第２の実施の形態では、電気料金の消費割合がユーザに知らされる場合には、室内機２の表示部３での表示、スピーカ４からの報知及びリモコン１０の表示部１１への表示の全てが行われるが、それらのいずれかだけが行われてもよい。
【０１０６】
【０１０７】
上述の第１及び第２の実施の形態では、空気調和機は、例えば電気料金の消費割合に関する情報を自動的に知らせる機能、及び、例えば電気料金の消費割合に基づいて自動的に運転状態を変更する機能を備えているが、それらの一方の機能だけを備えていてもよい。
【産業上の利用可能性】
【０１０８】
本発明を利用すれば、ユーザは、リモコンのスイッチを押す等の操作を行うことなく、エネルギー消費に関する項目についての消費割合を知ることができる。
【図面の簡単な説明】
【０１０９】
【図１】本発明の第１の実施の形態に係る空気調和機の斜視図である。
【図２】図１の室内機の部分拡大図である。
【図３】図１のリモコンを示す図である。
【図４】図１の空気調和機の制御ユニットの構成を示すブロック図である。
【図５】図１の空気調和機における動作手順を示すフローチャートである。
【図６】本発明の第１の参考例に係る空気調和機の制御ユニットの構成を示すブロック図である。
【図７】本発明の第２の参考例に係る空気調和機の制御ユニットの構成を示すブロック図である。
【図８】図７の空気調和機の低効率運転時間計測部において計測が行われる手順を示すフローチャートである。
【図９】本発明の第２の実施の形態に係る空気調和機の制御ユニットの構成を示すブロック図である。
【符号の説明】
【０１１０】
１  空気調和機
２  室内機
３  表示部
４  スピーカ
１０  リモコン
３０、１３０、２３０、３３０  制御ユニット
３１  節約モード記憶部
３２  目標値記憶部
３３  電気料金算出部
３４  制御部
１３１  節約モード記憶部
１３２  目標値記憶部
１３３  ＣＯ２排出量算出部
２３１  節約モード記憶部
２３２  目標値記憶部
２３３  低効率運転時間計測部
３３１  節約モード記憶部
３３２  目標値記憶部
３３３  平均値算出部